(57)【要約】【課題】互いに異なる内容物が貯蔵される第１及び第２容器を互に組付ける際に、内容物が外部の異物によって汚染されたり、内容物が外部にあふれて汚れたりするのを防止する。【解決手段】(1)内部に内容物貯蔵空間と容器結合空間が分離して形成された第１容器と、(2)第１容器に結合され、入口部と結合部が形成された第２容器と、(3)第１容器に設置されて内容物を吐出させる第１吐出手段と、(4)第２容器に設置されて内容物を吐出させる第２吐出手段と、(5)第１及び２吐出手段を作動させ、第１及び第２吐出手段にそれぞれ連結される第１及び２吐出流路及び第１及び２吐出口が形成された押しボタンとを含み、第１容器の容器結合空間と第２容器の入口部及び結合部は、第１及び第２容器の中心線から一方に片寄って形成され、第２容器の結合部が第１容器の容器結合空間の下部にネジ接続されることで第２吐出手段と第２吐出流路とが連結される。【選択図】図３
2020183286.tif 000002
【特許請求の範囲】
【請求項１】
内部に内容物貯蔵空間と容器結合空間とが分離されて形成された第１容器と、
前記第１容器に組付けられ、入口部と結合部が形成された第２容器と、
前記第１容器に取り付けられて貯蔵された内容物を吐出させる第１吐出手段と、
前記第２容器に取り付けられて貯蔵された内容物を吐出させる第２吐出手段と、
前記第１及び第２吐出手段を作動させ、第１及び第２吐出手段にそれぞれ連結される第１及び第２吐出流路、及び第１及び第２吐出口が形成された押しボタンとを含み、
前記第１容器の容器結合空間、及び第２容器の入口部及び結合部は、第１及び第２容器の中央から一方に片寄って形成され、前記第２容器の結合部が、第１容器の容器結合空間の下部にネジ接続されることで、前記の第２吐出手段と第２吐出流路とが連結されることを特徴とする、異種内容物混合容器。
【請求項２】
前記第１容器には、内側に支持板が備えられたキャップ部材がさらに組付けられ、前記支持板には、吐出手段設置孔が備えられて前記第１吐出手段が取り付けられるとともに、吐出流路貫通孔が備えられて前記第２吐出流路が貫通することを特徴とする、請求項１に記載の異種内容物混合容器。
【請求項３】
前記の第１吐出手段及び第２吐出手段は、ポンピングによって内容物を外部に吐出させるポンプであることを特徴とする、請求項１に記載の異種内容物混合容器。
【請求項４】
前記第１吐出手段は、第２吐出手段よりも相対的に大きさが小さく形成され、前記第２吐出手段は、第１吐出手段よりも相対的に低い高さ位置に取り付けられることによって、前記第１及び第２吐出手段の大きさ及び高さ位置の差によって、異種の内容物が一定の比率で混合されて同時に外部に吐出されることを特徴とする、請求項１に記載の異種内容物混合容器。
【請求項５】
前記の第１吐出手段と第２吐出手段とによってそれぞれ吐出される内容物の混合比率は、１：４ないし１：５であることを特徴とする、請求項１に記載の異種内容物混合容器。
【請求項６】
前記の押しボタンの第１吐出流路は、第２吐出流路よりも相対的に長さが短く形成されることを特徴とする、請求項１に記載の異種内容物混合容器。
【請求項７】
前記の押しボタンの第２吐出流路の端部には、軟質の密閉部材が備えられて、第１容器と第２容器とを互に組付ける際に、第２容器に取り付けられた第２吐出手段に嵌め付けられることを特徴とする、請求項１に記載の異種内容物混合容器。
【発明の詳細な説明】
【技術分野】
【０００１】
本発明は、異種内容物混合容器に関し、さらに詳細には、第２容器における中央（中心線）から一方に片寄って備えられた結合部及び第２吐出手段が、第１容器の下部にネジ接続（スクリュー結合）され、第１及び第２吐出手段について、大きさ及び設置高さがそれぞれ異なるように形成されることによって、第１及び第２容器が簡便に結合されてこの際の内容物の汚染が防止されることはもとより、異種の内容物が一定の混合比率で同時に吐出されて、使用の便宜性及び効率性が改善された異種内容物混合容器に関する。
【背景技術】
【０００２】
一般的に、容器に収容される化粧品や医薬品のうち、効能や効果を倍加させるために互いに異なる二つ以上の内容物を混ぜて使用する場合が多々ある。
【０００３】
しかし、上記のように混ぜて使用される内容物を初めから混ぜて一つの容器に共に収容した後、流通または保管する場合、容器内部で化学反応が起こり、内容物が凝固または沈殿しながら排出不良が発生したり、内容物が変色または変質する問題が発生するようになる。
【０００４】
そのため、従来には互いに異なる成分の内容物をそれぞれ他の容器に保管してから使用時に使用者が内容物をそれぞれ排出させて直接混ぜて使用したり、互いに異なる内容物をそれぞれ分離された他の容器に保管して使用時に二つの容器の入口をそれぞれ開放し、別途の容器に混ぜて使用する方法が提示されたが、かかる方法は別途の容器に貯蔵された内容物を使用者が直接混ぜて使用しなければならない煩雑さと紛失の危険性及び携帯性に劣るという問題点があった。
【０００５】
したがって、最近は一つの容器に異種内容物を隔離貯蔵して保管した後、必要時に使用者の操作によって混ぜて使用することができるようにした異液物質混合容器が開発された。
【０００６】
上記のような従来技術として、韓国登録特許第１０−１９２３３０６号の異種物質混合容器が開示されたが、上記従来技術は、外容器内に内容器を挿着し、この内容器にそれぞれポンプセットのうち一つを装着しておき、この外容器と内容器に互いに異なる化粧品内容物を貯蔵しておき、一回のポンピングで異なる種類の化粧品内容物を同時に吐出して混ぜて使用することができるようにしたものである。
【０００７】
しかし、上記従来技術は、内容器が外容器に貯蔵された化粧品内容物と共に収容される構造であるため、外容器に内容器を組み立てまたは入れ替えする過程で前記内容器の外周面についている外部異物が外容器内部に入り、外容器内に貯蔵された化粧品内容物を汚染させたり、開放された外容器の入口部に内容器全体が挿入されながら前記内容器の体積または急な挿入によって外容器に貯蔵された内容物が外にあふれて周辺が汚染し、組み立てが不便な問題点があった。
【０００８】
また、上記従来技術は、それぞれのポンプセットの構造、及びこれによって吐出される内容物の量が互いに異なるにもかかわらず、ポンプセットの設置位置及び吐出流路の長さが同一で、前記それぞれのポンプセットを通じて吐出される異種の内容物が時間差をおいて外部に吐出されるなど、使用上不便があった。
【先行技術文献】
【特許文献】
【０００９】
【特許文献１】韓国登録実用新案第２０−０３９００９５号（２００５．０７．１８．公告）、「パウダー混合エッセンス化粧品容器」
【特許文献２】韓国登録特許第１０−１９２３３０６号（２０１８．１１．２８．公告）、「異種物質混合容器」
【発明の概要】
【発明が解決しようとする課題】
【００１０】
本発明は、互いに異なる内容物が貯蔵される第１及び第２容器をそれぞれ第１及び第２吐出手段と連結して押しボタンの押下作動によって異種の内容物を一回で外部に吐出させ、第２容器に結合部及び第２吐出手段が中央から一方に寄って形成され、前記結合部が第１容器の下部にスクリュー結合されながら前記第２吐出手段が第２吐出流路と連結されることによって、第１、２容器の結合が簡便で、結合過程で内容物が外部異物によって汚染されることを防止することができるようにした異種内容物混合容器を提供することに目的がある。
【００１１】
また、本発明は、第１及び第２容器の内容物貯蔵容量と前記第１及び第２容器に設置された第１及び第２吐出手段の大きさ及び設置高さをそれぞれ異なるように形成することで、前記第１及び第２吐出手段から吐出される異種の内容物が一定の混合比率で時間差なく同時に外部に吐出されるようにして使用の便宜性及び効率性を改善することができるようにした異種内容物混合容器を提供することに目的がある。
【課題を解決するための手段】
【００１２】
本発明は、内部に内容物貯蔵空間と容器結合空間とが分離されて形成された第１容器と、前記第１容器に組付けられ、入口部と結合部が形成された第２容器と、前記第１容器に取り付けられて貯蔵された内容物を吐出させる第１吐出手段と、前記第２容器に取り付けられて貯蔵された内容物を吐出させる第２吐出手段と、前記第１及び第２吐出手段を作動させ、第１及び第２吐出手段とそれぞれ連結される第１及び第２吐出流路と第１及び第２吐出口が形成された押しボタンとを含み、前記第１容器の容器結合空間、及び第２容器の入口部及び結合部は、第１及び第２容器の中央から一方に片寄って形成され、前記第２容器の結合部が第１容器の容器結合空間下部にネジ接続されることで、前記の第２吐出手段と第２吐出流路とが連結されることを特徴とする。
【００１３】
また、前記第１容器には、内側に支持板が備えられたキャップ部材がさらに組付けられ、前記支持板には、吐出手段設置孔が備えられて前記第１吐出手段が取り付けられるとともに、吐出流路貫通孔が備えられて前記第２吐出流路が貫通する。
【００１４】
また、前記の第１吐出手段及び第２吐出手段は、ポンピングによって内容物を外部に吐出させるポンプであることが好ましい。
【００１５】
また、前記第１吐出手段は、第２吐出手段よりも相対的に大きさが小さく形成され、前記第２吐出手段は、第１吐出手段よりも相対的に低い高さ位置に取り付けられることによって、前記第１及び第２吐出手段の大きさ及び高さの差によって異種の内容物が一定の比率で混合されて同時に外部に吐出される。
【００１６】
また、前記の第１吐出手段と第２吐出手段とによってそれぞれ吐出される内容物の混合比率は、１：４ないし１：５であることが好ましい。
【００１７】
また、前記の押しボタンの第１吐出流路は、第２吐出流路よりも相対的に長さが短く形成されることが好ましい。
【００１８】
また、前記の押しボタンの第２吐出流路の端部には、軟質の密閉部材が備えられて第１容器と第２容器とを互に組付ける際に、第２容器に取り付けられた第２吐出手段に嵌め付けられうる。
【発明の効果】
【００１９】
本発明の実施例によれば、第２容器の結合部及び第２吐出手段が中央から一方に片寄って形成され、前記結合部が第１容器の下部にスクリュー結合されることで前記第２吐出手段が第２吐出流路と連結されることによって、第１及び第２容器の結合が簡便で、結合過程で内容物が外部異物によって汚染されることを防止することができるという効果がある。
【００２０】
また、本発明の実施例によれば、第１及び第２容器の内容物貯蔵容量と、前記第１及び第２容器に設置された第１及び第２吐出手段の大きさ及び設置高さをそれぞれ異なるように形成することで、前記第１及び第２吐出手段から吐出される異種の内容物が一定の混合比率で時間差なく同時に外部に吐出されるようにして使用の便宜性及び効率性を改善する効果がある。
【００２１】
また、本発明の実施例によれば、第１容器及び第２容器にそれぞれ第１吐出手段及び第２吐出手段を設置して、前記第１容器及び第２容器に収容された異種の内容物をそれぞれ別個に吐出して使用することができ、また、使用者の必要時に第１容器と第２容器とを結合することで、異種の内容物を混ぜて使用することができるため、容器の活用度を高める効果がある。
【図面の簡単な説明】
【００２２】
【図１】本発明の実施例に係る混合容器の斜視図である。
【図２】本発明の実施例に係る混合容器の分解斜視図である。
【図３】本発明の実施例に係る混合容器の断面図である。
【図４】本発明の実施例に係る混合容器の平面図である。
【図５】本発明の実施例によって第１容器に第２容器が結合される前の形態を例示した断面図である。
【図６】本発明の実施例によって第２容器の仮カバーと仮押しボタンが分離される形態を例示した断面図である。
【図７】本発明の実施例によって第２容器を第１容器の下部にスクリュー結合する形態を例示した断面図である。
【図８】本発明の実施例に係る混合容器の押しボタンが押されて異種の内容物を同時に吐出させる形態を示した断面図である。
【図９】本発明の実施例に係る混合容器の押しボタンが元の位置に復元しながら第１、２吐出手段内部に内容物が流入する形態を示した断面図である。
【発明を実施するための形態】
【００２３】
以下の本発明に関する詳細な説明は、本発明が実施され得る実施例であり、当該実施例の例示として図示された添付の図面を参照する。これら実施例は、当業者が本発明を実施するに足りるよう詳細に説明される。本発明の多様な実施例は、互いに異なるが、相互排他的である必要はないことを理解されたい。例えば、ここに記載されている特定の形状、構造及び特性は、一実施例に関連して本発明の思想及び範囲を逸脱せずに他の実施例で具現され得る。また、それぞれの記載された実施例内の個別の構成要素の位置または配置は、本発明の思想及び範囲を逸脱せずに変更され得ることを理解されたい。
【００２４】
したがって、後述する詳細な説明は、限定的な意味をもって採用しようとするものではなく、本発明の範囲は、適切に説明されるならその請求項が主張することと均等なすべての範囲と、併せて添付された請求項によってのみ限定される。図面で類似する参照符号は、いくつかの側面において同一か類似する機能を指称する。
【００２５】
本発明で使用される用語は、本発明での機能を考慮しながら可能な現在広く使用される一般的な用語を選択したが、これは当分野に従事する技術者の意図または判例、新たな技術の出現などによって変わる場合がある。また、特定の場合は出願人が任意に選定した用語もあり、この場合は該当する発明の説明部分において詳細にその意味を記載する。したがって、本発明で使用される用語は単なる用語の名称ではなく、その用語が有する意味と本発明の全般にわたる内容を基に定義されなければならない。
【００２６】
本発明で、ある部分がある構成要素を含むとする場合、これは特に反対の記載がない限り、他の構成要素を除外するものではなく、他の構成要素をさらに含み得ることを意味する。
【００２７】
図１ないし図９を参照して本発明の一実施例に係る異種内容物混合容器について説明する。
【００２８】
図１は本発明の実施例に係る混合容器の斜視図であり、図２は本発明の実施例に係る混合容器の分解斜視図であり、図３は本発明の実施例に係る混合容器の断面図であり、図４は本発明の実施例に係る混合容器の平面図である。
【００２９】
図示されたように、本発明の一実施例に係る混合容器は、第１容器１０と、第２容器２０と、第１吐出手段３０と、第２吐出手段４０と、押しボタン５０とを含んで構成され得る。
【００３０】
前記第１容器１０の内部には、液状またはゲル状の第１内容物Ｃ１が収容され、硬質の円筒の形態で形成される。もちろん、前記第１容器１０は、硬質の円筒の形態に限定されるものではなく、多様な形態または材質で形成され得る。
【００３１】
前記第１容器１０の内部には、第１内容物Ｃ１と第１吐出手段３０の一部分が収容される内容物貯蔵空間１２が形成されており、第２容器２０が結合されるとともに、第２吐出手段４０の一部分受け入れられる、容器結合空間１４が形成されるのであり得る。
【００３２】
前記容器結合空間１４は、図２に示すように、第１容器１０の中央（中心線）からいずれか一方に片寄って形成され得るのであって、筒状の区画壁１５によって内容物貯蔵空間１２と区分され得る。
【００３３】
そして、図３に示すように、前記容器結合空間１４の内周面には、中ほどの高さ位置に、内フランジ状の掛け止め部１４ａが内側へと突出形成され、さらに、前記掛け止め部１４ａの下方にはネジ山が形成されており、これにより第２容器２０とネジ接続され得る。
【００３４】
また、図３に示すように、前記第１容器１０の開放された上端部には、皿状ないしカップ状の密閉キャップ１６が接続されるのであり、前記密閉キャップ１６の上方には、弾性材質からなる密閉板１８が備えられることで第１容器１０の密閉力を向上させることができる。すなわち、前記密閉キャップ１６が第１容器１０の開放された部分を塞ぐのであり、前記密閉板１８が、密閉キャップ１６の内側にある隆起状の筒壁部１６ｂの上端、及び、筒状の区画壁１５の上端と、後述するキャップ部材６０の天井面との間に挟み込まれることで、第１容器１０の内部空間に収容された第１内容物Ｃ１が外部に漏れ出したり、外部からの異物が第１容器１０の内部空間に流入したりすることがないようにする。
【００３５】
前記密閉キャップ１６には、第１容器１０の筒状の区画壁１５が挿入される区画壁挿入孔１６ａが隆起状の筒壁部１６ｂにより形成されており、前記密閉板１８には、第１吐出手段３０が貫通する第１貫通孔１８ａと、第２吐出流路５２ｂが貫通する第２貫通孔１８ｂとが形成され得る。
【００３６】
ここで、前記密閉板１８は、ゴムや樹脂系エラストマーといった軟質の材質で形成され、ウレタンゴム（ｕｒｅｔｈａｎｅ  ｒｕｂｂｅｒ）、天然ゴム（ｎａｔｕｒａｌ  ｒｕｂｂｅｒ）、各種の熱硬化性または熱可塑性のエラストマー（ｅｌａｓｔｏｍｅｒ）、ＮＢＲ（ｎｉｔｒｉｌｅ−ｂｕｔａｄｉｅｎｅ  ｒｕｂｂｅｒ）、シリコーン（ｓｉｌｉｃｏｎｅ）、及び、その他の熱硬化性エラストマー（ｅｌａｓｔｏｍｅｒ）のうちのいずれか一つ以上の材質、または、弾性を有するように共重合などによる変性や発泡を行ったポリプロピレン（ｐｏｌｙｐｒｏｐｙｌｅｎｅ）、ポリエチレン（ｐｏｌｙｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、並びに、各種の熱可塑性エラストマー（ＴＰＥ；Ｔｈｅｒｍｏ  Ｐｌａｓｔｉｃ  Ｅｌａｓｔｏｍｅｒ）のうちの、いずれか一つ以上の材質で形成されることが好ましい。もちろん、前記密閉板１８は、上述した材質に限定されるものではなく、一定の弾性を有する範囲内で多様な材質で形成され得る。なお、後述の密閉部材７０や密閉リング１９などのための軟質の材料も、ここに列挙された中から選択されうる。
【００３７】
一方、前記第１容器１０の上部には、キャップ部材６０がさらに結合され得る。前記キャップ部材６０の内側には、水平な円板状の支持板６２が形成され得るのであり、前記支持板６２には、密閉板１８の第１貫通孔１８ａに連結される吐出手段設置孔６２ａが形成され、これらを貫通して第１吐出手段３０が設置されるのであり、密閉板１８の第２貫通孔１８ｂに連結される吐出流路貫通孔６２ｂが形成され、これらを第２吐出流路５２ｂが貫通し得る。図示の具体例において、第１吐出手段３０の第１２ハウジング３１には、上端の近傍に、フランジ部が形成されており、このフランジ部が、その下方の密閉板１８とともに、上下から、キャップ部材６０の天井面と、密閉キャップ１６の隆起状の筒壁部との間に挟み込まれている。
【００３８】
本発明の一実施例に係る混合容器の図面では、前記の第１容器１０とキャップ部材６０とが、リング状のアンダーカット部分同士が結合する方式、すなわち「アンダーカット結合方式」であるとして図示したが、これに限定されるものではなく、ネジ結合、または、突起と凹部との結合、または、押し込み・引き込みによる嵌め合わせ（強制嵌合結合）など多様な結合方式が挙げられる。
【００３９】
前記第２容器２０は、第１容器１０に下方から組付けられるのであり、混合容器の外観の連続性のために、第１容器１０に一致または対応する外径を有する円筒の形状に形成され得る。
【００４０】
前記第２容器２０の内部には、第２内容物Ｃ２が貯蔵され得るが、前記第２内容物Ｃ２は、第１内容物Ｃ１と互いに異なる内容物であって、第１内容物Ｃ１と混ぜて使用された際に効能や効果を倍加させるようになる内容物であることが好ましい。
【００４１】
前記第２容器２０の上面には、一方の側に片寄るようにして、円筒状の入口部２２が形成されるのであり、前記入口部２２から第２内容物Ｃ２が充填され、前記入口部２２に第２吐出手段４０が設置されるのであり得る。
【００４２】
前記入口部２２には、円筒状の結合部２４が結合されるのであり、前記結合部２４は、入口部２２を包み込むように接続されて固定されることで、第２吐出手段４０を固定させる。なお、図示の具体例において、第２吐出手段３０の第２ハウジング４１には、上端の近傍に、フランジ部が形成されており、このフランジ部が、その下方の密閉リング１９とともに、上下から、結合部２４の上端の内フランジ部と、入口部２２の上端面との間に挟み込まれている。
【００４３】
そして、前記円筒状の結合部２４の外周面には、ネジ山が形成され、第１容器１０における容器結合空間１４をなす円筒状の区画壁１５の内側に形成されたネジ山にネジ結合されるのであり、前記円筒状の結合部２４の上端面が、容器結合空間１４の掛け止め部１４ａに密着される。ここで、前記の円筒状の結合部２４と入口部２２とは、第１容器１０の容器結合空間１４と同様に、偏心（ある物体の中心が一方に寄っており、中心が互いにずれた状態）して、すなわち、第２容器２０の中央（中心線）からいずれか一方に片寄って形成され得る。
【００４４】
言い換えれば、互いに異なる内容物が貯蔵される第１及び２容器１０、２０を、いずれも第１及び２吐出手段３０、４０と連結することから、押しボタン５０の押下作動によって、互に異種である２種の内容物を一度に外部へと吐出させるのである。ここで、第２容器２０には、結合部２４及び第２吐出手段４０が第１及び２容器１０、２０の中央から一方に片寄って形成されており、前記結合部２４が第１容器１０の下部にスクリュー結合されることで、前記第２吐出手段４０が、押しボタン５０の第２吐出流路５２ｂと連結される。したがって、第１容器１０と第２容器２０とを、スクリュー結合によって互に組み付けるので、組み付けの操作が簡便であり、また、組み付けの過程で、内容物が外部からの異物によって汚染されるのを防止することができる。
【００４５】
図５は、本発明の実施例にしたがう、第１容器に第２容器が結合される前の形態を例示した縦断面図（それぞれの中心線に沿った断面図）であり、図６は本発明の実施例にしたがう、第２容器の仮（一時的な）カバー及び仮（一時的な）押しボタンが分離される様子を例示した断面図である。
【００４６】
一方、前記第２容器２０が第１容器１０に結合される前には、前記第２容器２０が第１容器１０とは別途に、個別包装されて流通、販売されるのであり、この際には、図５に示すように、前記第２容器２０の入口部２２に設置された第２吐出手段４０に、仮押しボタン２６が固定されて結合され、前記第２容器２０の結合部２４に、仮カバー２８が着脱可能に結合されるのであり得る。
【００４７】
当然のことながら、異種内容物の混合使用のために第２容器２０が第１容器１０に結合される場合には、図６に示すように、第２容器２０から仮カバー２８が分離され、第２吐出手段４０から仮押しボタン２６が分離される。
【００４８】
上述の第１吐出手段３０は、少なくとも一部が第１容器１０の内容物貯蔵空間１２に挿入された状態で、第１容器１０のキャップ部材６０の吐出手段設置孔６２ａに取り付けられ、前記第１容器１０に貯蔵された第１内容物Ｃ１を外部に吐出させる。
【００４９】
ここで、前記第１吐出手段３０は、ポンピング作用によって定量の内容物を外部に吐出させるポンプであることが好ましい。
【００５０】
前記第１吐出手段３０は、図３に示すように、一方の側（下端部）に第１内容物吸入口３１ａが形成された筒状の第１ハウジング３１と、前記第１ハウジング３１の第１内容物吸入口３１ａを開閉するボール状の第１吸入バルブ３２と、前記第１ハウジング３１の下端部に組付けれるか、または一体に形成されて第１内容物Ｃ１を第１ハウジング３１内へと導いて吸入されるようにする第１吸入管３３と、前記第１ハウジング３１の上端部に接続して固定合される二重筒状の第１ハウジングキャップ３４と、前記第１ハウジング３１の内側に備えられてポンプの作動方向である上下に移動される少なくとも部分的に管状である第１ピストン支持棒３５と、前記第１ピストン支持棒３５の外側に嵌め付けられて第１ハウジング３１の内周面に密着される第１ピストン３６と、前記第１ピストン支持棒３５の上部に組付けられる管状の第１ステム３７と、前記第１ステム３７を上方へと押すようにして弾力支持するコイル状の第１バネ３８とから構成され得る。
【００５１】
前記第２吐出手段４０は、第２容器２０の入口部２２に設置されて全体の構成のうちの少なくとも一部の構成が第１容器１０の容器結合空間１４中に収容され、前記第２容器２０に貯蔵された第２内容物Ｃ２を外部へと吐出させる。
【００５２】
前記第２吐出手段４０は、ポンピング作用によって定量の内容物を外部に吐出させるポンプであって、第２容器２０の結合部２４によって入口部２２に固定される。そして、前記第２吐出手段４０は、入口部２２と結合部２４とが第２容器２０に偏心して形成されることによって、第２容器２０の中央からいずれか一方に寄って設置される。
【００５３】
前記第２吐出手段４０は、図３に示すように、一方の側（下端部）に第２内容物吸入口４１ａが形成された管状の第２ハウジング４１と、前記第２ハウジング４１の第２内容物吸入口４１ａを開閉する皿状ないしカップ状の第２吸入バルブ４２と、前記第２容器２０に貯蔵された第２内容物Ｃ２を第２ハウジング４１内へと導いて吸入可能とするための第２吸入管４３と、前記第２ハウジング４１の上端部に組付けられて第２ハウジング４１を第２容器２０の一方の側（状端部）に固定させる二重筒状の第２ハウジングキャップ４４と、前記第２ハウジング４１の内側に備えられてポンプの作動方向である上下に移動される、少なくとも部分的に管状である第２ピストン支持棒４５と、前記第２ピストン支持棒４５の外側に嵌め付けられて第２ハウジング４１の内周面に密着される第２ピストン４６と、前記第２ピストン支持棒４５の上部に組付けられる管状の第２ステム４７と、前記第２ステム４７の外周面に沿って配置されて第２ハウジングキャップ４４の側から第２ステム４７を上方へと押すようにして弾力支持する第２バネ４８とから構成され得る。
【００５４】
ここで、前記第２容器２０の結合部２４が第１容器１０の容器結合空間１４に挿入されるとともにネジ接続（スクリュー結合）される際に、前記第２吐出手段４０は、押しボタン５０の第２吐出流路５２ｂに、短管状の密閉部材７０を介して連結され得る。
【００５５】
前記密閉部材７０は、ゴムやエラストマーなどの軟質の材質で形成され、押しボタン５０の第２吐出流路５２ｂに予め組付けられ、第１容器１０と第２容器２０とを互に組付ける際には、第２容器２０に予め取り付けられている第２吐出手段４０に嵌め付けられることで、前記押しボタン５０と第２吐出手段４０との間を安定的に密閉しつつ、これらを連結させる。
【００５６】
言い換えれば、前記密閉部材７０は、上端部と下端部が開放された管の形状であり、第２吐出流路５２ｂに嵌め付けられる結合部７２と、第２吐出手段４０の上端部に挿入される密閉挿入部７４とからなり得るのであり、前記結合部７２は、第２吐出流路５２ｂの端部に挿入されて嵌め付けられることで、固定されて結合され、前記密閉挿入部７４は、第２吐出手段４０における第２ステム４７の上端部の内周面に密着するようにして堅固に嵌め付けられる。
【００５７】
一方、図３に示すように、前記第１吐出手段３０と第２吐出手段４０は、それぞれポンピングする第１及び第２容器１０、２０の内容物の混合比率に応じて、互いに大きさを異なるようにし得る。すなわち、第１容器１０と第２容器２０とを結合して異種の内容物を混ぜて使用する場合に、前記第１容器１０に貯蔵された第１内容物Ｃ１と、第２容器２０に貯蔵された第２内容物Ｃ２とについて、最適の混合比率に調節して混合するために、前記第１及び第２容器１０、２０の内部の内容物貯蔵空間の内容積または縦断面での面積を、互いに異なるようにするとともに、第１及び第２内容物Ｃ１、Ｃ２を吐出させる第１及び第２吐出手段４０のサイズを互に異なるようにし得る。すなわち、特にはポンプ室の箇所の内径及び外径を異ならせることにより、ポンプ室の内径、内容積または縦断面での面積を互に異なるようにし得る。
【００５８】
例えば、前記第１吐出手段３０によって吐出される第１内容物Ｃ１を、第２吐出手段４０によって吐出される第２内容物Ｃ２よりも、多くまたは少なく吐出させて混ぜて使用しようとする場合、前記第１吐出手段３０の第１ハウジング３１と、第１ハウジング３１内側及び外側で作動する構成要素との大きさについて、第２吐出手段４０の第２ハウジング４１と、第２ハウジング４１の内側及び外側で作動する構成要素との大きさよりも、大きくまたは小さく形成することができる。
【００５９】
ここで、前記第１吐出手段３０と第２吐出手段４０とによってそれぞれ吐出される内容物の混合比率は、１：４ないし１：５であることが適切であり、したがって、第２容器２０の内容積、及び、第２吐出手段４０の第２ハウジング４１内のポンプ室の内容積は、それぞれ、第１容器１０の内容積、及び、第１吐出手段３０の第１ハウジング３１の内容積に比べて、４倍ないし５倍となるように、大きく形成され得る。当然ながら、前記第１内容物Ｃ１と第２内容物Ｃ２の混合比率は、これに限定されるものではなく、第１容器１０と第２容器２０に貯蔵された、それぞれの内容物の種類、並びに使用目的及び方法などに応じて、多様に変更されうる。
【００６０】
また、図３に示すように、前記第２吐出手段４０は、第１吐出手段３０よりも相対的に低い高さ位置に設置されることが好ましい。すなわち、押しボタン５０の内面の上端から見て、第２吐出手段４０が、第１吐出手段３０に比べて、より下方に設置される。また、第２吐出手段４０が、第２容器２０に、偏心するように備え付けられるのであり、相対的に多量の内容物をポンピングする第２吐出手段４０が、第１吐出手段３０に比べ、吐出口から見て、よりより遠くに位置するようにしたのである。このような配置構成により、第１吐出手段３０によってポンピングされた第１内容物Ｃ１と、第２吐出手段４０によってポンピングされた第２内容物Ｃ２とが、同時に外部に吐出される。
【００６１】
上述したように、本発明の実施形態によると、第１及び第２容器１０、２０の内容物貯蔵容量、及び、前記第１及び第２容器１０、２０に設置された第１及び第２吐出手段３０、４０の大きさ及び設置高さについて、互に異なるようにすることで、前記第１及び２吐出手段３０、４０からそれぞれ吐出される互に異種の内容物が、一定の混合比率で、時間差なく同時に外部に吐出されるようにしている。このようにして、使用の便宜性及び効率性を改善することができるようにしたのである。
【００６２】
前記押しボタン５０は、第１容器１０の一方の側（上側）に、上下に移動可能に備え付けられるのであり、使用者の押下作動によって押し込まれることで、第１及び２吐出手段３０、４０を共に作動させる。
【００６３】
前記押しボタン５０の内側には、上述した第１及び第２吐出手段３０、４０にそれぞれ連結される第１及び第２吐出流路５２ａ、５２ｂが備えられ、前記第１及び第２吐出流路５２ａ、５２ｂにおける外部へと露出した一方の端部には、それぞれ第１及び第２吐出口５４ａ、５４ｂが備えられる。これら第１及び第２吐出口５４ａ、５４ｂは、押しボタン５０の外周面に、左右に並んで、配置され得る。すなわち、互に近接して同一の高さ位置に、配置され得る。
【００６４】
前記押しボタン５０の第１吐出流路５２ａは、第１吐出手段３０の管状の第１ステム３７と接続・連通されて、前記第１吐出手段３０によってポンピングされる第１内容物Ｃ１を、第１吐出口５４ａへと導く。前記第２吐出流路５２ｂは、第２吐出手段３０の第２ステム４７と接続・連通されて、前記第２吐出手段４０によってポンピングされる第２内容物Ｃ２を、第２吐出口５２ｂへと導く。
【００６５】
一方、図４に示すように、前記第１吐出流路５２ａと第２吐出流路５２ｂとは、互いに長さが異なるように備えられるのが好ましい。すなわち、第１及び第２吐出手段３０、４０のサイズに差を設けることで、第１及び第２内容物Ｃ１、Ｃ２の吐出量を互に異ならせて混ぜて使用する場合には、長さ及び内径が同一の第１及び第２吐出流路５２ａ、５２ｂによると、第１内容物Ｃ１と第２内容物Ｃ２とは、時間差をおいて吐出せざるを得ない。したがって、前記第１吐出手段３０に連結され相対的に吐出量が少ない第１吐出流路５２ａについて、第２吐出手段４０と連結され相対的に吐出量が多い第２吐出流路５２ｂよりも短く形成することにより、第１内容物Ｃ１と第２内容物Ｃ２とが、同一のタイミングで外部へと吐出されうるようにしたのである。
【００６６】
なお、前記キャップ部材６０には、図３に示すように、混合容器を携帯または保管する際に押しボタン５０を覆うことで保護する容器カバー８０が、着脱可能に接続され得る。
【００６７】
図７ないし図９は、本発明の一実施例にしたがう異種内容物混合容器の組立及び使用について例示した図面であって、これを参照して、本発明の一実施例に係る異種内容物混合容器の組立及び使用の過程について説明する。
【００６８】
図７は、本発明の実施例にしたがう、第２容器を、第１容器の下面側にネジ接続する様子を例示した断面図である。図８は、本発明の実施例にしたがう混合容器における押しボタンが押し下げられて異種の内容物を同時に吐出させる様子を示した断面図である。図９は、本発明の実施例にしたがう、混合容器における押しボタンが元の位置に復帰することで第１及び２吐出手段の（ポンプ室の）内部に内容物が流入する様子を示した断面図である。
【００６９】
まず、本発明の一実施例にしたがう混合容器を組み立てるためには、図示されたように、第１容器１０の内容物貯蔵空間１２に第１内容物Ｃ１を充填し、前記第１容器１０の開放された上部に密閉キャップ１６を接続した後、前記密閉キャップ１６の上端部に密閉板１８を据え付ける。この際、前記密閉板１８の第１貫通孔１８ａは、第１容器１０の内容物貯蔵空間１２の上方に位置し、第２貫通孔１８ｂは、第１容器１０の容器結合空間１４の上方に位置する。
【００７０】
次に、前記密閉板１８の第１貫通孔１８ａに差し込むようにして、第１ハウジング３１と、第１吸入バルブ３２と、第１吸入管３３と、第１ハウジングキャップ３４と、第１ピストン支持棒３５と、第１ピストン３６と、第１ステム３７と、第１バネ３８とから構成された第１吐出手段３０を設置し、前記第１容器１０の上部にキャップ部材６０を接続して固定する。
【００７１】
次に、前記キャップ部材６０の上側に、押しボタン５０を上下に移動可能に接続し、この際、前記押しボタン５０の第１吐出流路５２ａが、第１吐出手段３０の管状の第１ステム３７に接続されて連通されるようにするとともに、第２吐出流路５２ｂが、キャップ部材６０の吐出流路貫通孔６２ｂと、密閉板１８の第２貫通孔１８ｂとを貫くように差し通される。このように接続を行う、前記押しボタン５０の第２吐出流路５２ｂは、その吸入端に、軟質の密閉部材７０が接続されただけの状態にある。
【００７２】
次に、前記押しボタン５０を包み込むように、キャップ部材６０に、容器カバー８０を着脱可能に接続する。
【００７３】
次に、前記第２容器２０の入口部２２を通じて第２内容物Ｃ２を充填し、前記入口部２２に差し通すように、第２ハウジング４１と、第２吸入バルブ４２と、第２吸入管４３と、第２ハウジングキャップ４４と、第２ピストン支持棒４５と、第２ピストン４６と、第２ステム４７と、第２バネ４８とから構成された第２吐出手段４０を設置し、この後、前記第２容器２０の入口部２２の外側に結合部２４を接続する。
【００７４】
その後、図５に示すように、上記のように組み立てられた第１容器１０及び第２容器２０を、それぞれ別個に包装する。このように包装する際、前記第２吐出手段４０の上端部には、仮押しボタン２６が接続され、さらに、第２容器２０には仮カバー２８が接続された状態にある。図示の具体例では、この状態にて、第１容器１０及び第２容器２０は、それぞれ別個に使用することもできる。すなわち、仮押しボタン２６には、吐出口、及び吐出流路が備えられており、仮カバー２８を外してから、この仮押しボタン２６を押し下げることで、第２容器２０の内容物を吐出することができる。また、第１容器１０は、第２容器２０を組み付ける前にも、押しボタン５０を押し下げることで、内容物を吐出することができる。
【００７５】
一方、上記のように組み立てられた第１及び第２容器を、互に組付けて共に使用しようとする場合には、図６に示すように、第２容器２０に接続された仮カバー２８、及び、第２吐出手段４０に接続された仮押しボタン２６を分離する。
【００７６】
その後、図７に示すように、前記第２容器２０の結合部２４を、第１容器１０の容器結合空間１４の下部に挿入するとともに、第１容器１０及び第２容器２０を相互にいずれかの方向に回転させることでネジ接続する。この際、前記第２容器２０の結合部２４の上端が、第１容器１０の掛け止め部１４ａに密着するのであり、第２容器２０に設置された第２吐出手段４０と、第２吐出流路５２ｂとが密閉部材７０によって連結される。これに伴い、前記第１容器１０に貯蔵された第１内容物Ｃ１と、第２容器２０に貯蔵された第２内容物Ｃ２とが、第１及び２吐出手段３０、４０を通じて共に吐出されうる状態になる。
【００７７】
その後、図８に示すように、押しボタン５０を押し下げて、第１吐出手段３０と第２吐出手段４０とを同時に押圧することで、第１容器１０に貯蔵された第１内容物Ｃ１と第２容器２０に貯蔵された第２内容物Ｃ２とを共に吐出させるのであり、このように吐出された互いに異なる内容物を混ぜて使用する。
【００７８】
さらに詳細には、第１、２吐出手段３０、４０が共に押圧されると、管状の第１及び第２ステム３７、４７と、前記第１及び第２ステム３７、４７の下部に結合された第１及び第２ピストン支持棒３５、４５とが、下側へと移動するのであり、この際、前記第１及び第２吐出手段３０、４０の第１及び第２ピストン３６、４６は、第１及及び第２ハウジング３１、４１の内周面に密着しているため、前記第１及び第２ピストン支持棒３５、４５だけが下側へと移動することで、第１及び第２ピストン支持棒３５、４５の下端のカップ状拡張部３５ａ、４５ａと、第１及び第２ピストン３６、４６との間に、隙間が発生して第１及び２内容物Ｃ１、Ｃ２の吐出通路が生じる。
【００７９】
その後、下側へと移動して行った第１及び２ステム３７、４７の下端が第１及び２ピストン３６、４６を押して行くことで、前記第１及び第２ピストン３６、４６が第１及び第２ピストン支持棒３５、４５と共に下側へと移動するのであり、これに伴い、第１及び２ハウジング３１、４１の内部のポンプ室（ピストンとバルブとの間の空間）の体積が減って行くこととなる。この際、第１及び２ハウジング３１、４１内の吐出圧力によって、第１及び第吸入バルブ３２、４２が、下方へと移動してスロートの箇所に密着することで、第１及び２内容物吸入口３１ａ、４１ａを閉鎖させるとともに、第１及び第２ハウジング３１、４１のポンプ室内に収容されていた第１及び２内容物Ｃ１、Ｃ２が、第１及び第２ピストン支持棒３５、４５と、第１及び第２ピストン３６、４６との間に出て行ってから、少なくとも部分的に管状である第１及び第２ピストン支持棒３５、４５の内部、及び／または、ピストン支持棒３５、４５とステム３７、４７の内周面との間の間隙と、第１及び第２吐出流路５２ａ、５２ｂとを通過して、第１及び第２吐出口５４ａ、５４ｂへと吐出される。
【００８０】
その後、図９に示すように、前記押しボタン５０の押圧を解除すると、第１及び第２ステム３７、４７を弾力支持する第１及び第２バネ３８、４８の弾性によって、前記第１及び２ステム３７、４７と、前記第１及び第２ステム３７、４７の下側部分に接続された第１及び２ピストン支持棒３５、４５とが、上方へと移動するようになる。この際、前記第１及び第２ピストン支持棒３５、４５の下部が、第１及び第２ピストン３６、４６を上方へと引き連れて引き上げることから、第１及び第２ピストン支持棒３５、４５の下端のカップ状の拡張部３５ａ、４５ａと、第１及び第２ピストン３６、４６の下端部との間の隙間が塞がることで流路が閉じられるとともに、前記第１及び第２ピストン支持棒３５、４５と第１及び第２ピストン３６、４６とが共に上方へと移動することとなる。
【００８１】
これによって、第１及び２ハウジング３１、４１のポンプ室の内部の体積が大きくなって行くことから真空圧が発生するのであり、かかる真空圧によって、第１及び２吸入バルブ３２、４２が持ち上がることで、第１及び２内容物吸入口３１ａ、４１ａが開放され、第１及び２容器１０、２０内に貯蔵されている第１及び２内容物Ｃ１、Ｃ２が第１及び２ハウジング３１、４１のポンプ室の内部へと流入する。
【００８２】
その後、上記のように共に吐出された異種の第１及び第２内容物Ｃ１、Ｃ２を混ぜて使用する。
【００８３】
以上のように本説明では具体的な構成要素などのような特定の事項と限定された実施例及び図面によって説明されたが、これは本発明のより全般的な理解を助けるために提供されたものに過ぎず、本発明は上記の実施例に限定されるものではなく、本発明が属する分野で通常の知識を有する者であれば、かかる記載から多様な修正及び変形が可能である。
【００８４】
したがって、本発明の思想は説明された実施例に局限して定められてはならず、後述する請求の範囲だけでなく、本請求の範囲と均等か等価的な変形を伴うすべては本発明の思想の範疇に属するといえる。
【符号の説明】
【００８５】
１０  第１容器
１２  内容物貯蔵空間
１４  容器結合空間
１６  密閉キャップ
１８  密閉板
２０  第２容器
２２  入口部
２４  結合部
３０  第１吐出手段
４０  第２吐出手段
５０  押しボタン
５２ａ  第１吐出流路
５２ｂ  第２吐出流路
５４ａ  第１吐出口
５４ｂ  第２吐出口
６０  キャップ部材
７０  密閉部材
８０  容器カバー
Ｃ１  第１内容物
Ｃ２  第２内容物
【図１】
2020183286.tif 000003
【図２】
2020183286.tif 000004
【図３】
2020183286.tif 000005
【図４】
2020183286.tif 000006
【図５】
2020183286.tif 000007
【図６】
2020183286.tif 000008
【図７】
2020183286.tif 000009
【図８】
2020183286.tif 000010
【図９】
2020183286.tif 000011